(57)【要約】【課題】  商品の種類の選択に制限されることなく、希望する商品のリストを作成し、さらに贈与されなかった商品に関する情報を有効に活用することが可能な商品贈与システムを提供することを課題とする。【解決手段】  商品贈与システム１は、インターネット１００に接続し、登録者１０１及び贈与者１０２の間で行われる商品１０３の贈与を管理する管理サーバ２と、贈与対象となる商品１０３を取扱い及び販売する販売店１０５に設置された販売店端末３と、商品１０３の贈与が期待され、入手を希望する商品１０３についての希望商品リスト６を作成する登録者１０１の利用する登録者端末４と、登録者１０１に対して商品１０３の贈与を行う贈与者１０２によって利用される贈与者端末５とから主に構成されている。【選択図】        図１
2005276043.tif 000002
【特許請求の範囲】
【請求項１】
通信ネットワークに接続された管理サーバを利用して商品の贈与を行う商品贈与システムであって、
前記管理サーバは、
前記商品に関する商品基礎情報をデータベースに記憶する商品基礎情報記憶手段と、
記憶された前記商品基礎情報を、前記商品の贈与が期待される登録者の利用する登録者端末に対して検索可能に提供する商品基礎情報提供手段と、
提供された前記商品基礎情報に基づいて前記登録者の欲する前記商品が選定され、前記登録者端末から送出される前記商品に係る商品情報を、前記通信ネットワークを介して受付ける商品情報受付手段と、
受付けた複数の前記商品情報に基づいて前記登録者の欲する前記商品についての希望商品リストを作成するリスト作成手段と、
作成した前記希望商品リストを商品リストデータベースに記憶するリスト記憶手段と、
前記登録者に対して前記商品の贈与を行う贈与者の利用する贈与者端末に対し、作成された前記希望商品リストを、前記通信ネットワークを介して開示するリスト開示手段と、
開示された前記希望商品リストに基づいて、前記贈与者によって前記登録者に対して贈与される前記商品の決定がなされ、贈与者する前記商品が示された商品注文情報を、前記通信ネットワークを介して前記贈与者端末から受付ける注文情報受付手段と、
受付けた前記商品注文情報に応じ、前記商品を前記登録者に対して供給するための指示を行う供給指示手段と
を具備することを特徴とする商品贈与システム。
【請求項２】
前記登録者端末は、
前記登録者の希望する前記商品についての前記商品情報の入力を受付ける商品情報入力手段と、
受付けた前記商品情報を、前記通信ネットワークを介して前記管理サーバに送出する商品情報送出手段と
をさらに具備し、
前記贈与者端末は、
前記管理サーバに対し、作成された前記登録者に対応する前記希望商品リストの開示を、前記通信ネットワークを介して要求する開示要求手段と、
前記開示要求手段に応じて開示された前記希望商品リストを閲覧可能に表示する閲覧手段と、
開示された前記希望商品リストの中から前記贈与者によって前記登録者に対して贈与される前記商品の決定がなされ、贈与する前記商品が示された前記商品注文情報を、前記管理サーバに対して前記通信ネットワークを介して送出する注文情報送出手段と
を具備することを特徴とする請求項１に記載の商品贈与システム。
【請求項３】
前記管理サーバは、
前記登録者端末を利用して前記希望商品リストを作成する前記登録者に開示認証コードを付与する開示認証コード付与手段と、
付与した前記開示認証コードをデータベース化して記憶する開示認証コード記憶手段と、
前記贈与者端末から要求される前記希望商品リストの開示要求に対し、前記贈与者端末に前記開示認証コードの入力を促す開示認証コード入力要求手段と、
入力された前記開示認証コードに基づいて、前記贈与者端末を認証し、前記開示認証コードに対応する前記登録者の前記希望商品リストを開示する認証開示手段と
をさらに具備することを特徴とする請求項１または請求項２に記載の商品贈与システム。
【請求項４】
前記商品基礎情報記憶手段及び前記商品基礎情報提供手段は、
前記商品の販売を取扱う販売店に設置され、前記通信ネットワークに接続した販売店端末に分散して形成され、
前記販売店端末は、
前記商品基礎情報を記憶する分散商品基礎情報記憶手段と、
前記通信ネットワークを介して前記商品基礎情報を提供する分散商品基礎情報提供手段と
を具備することを特徴とする請求項１乃至請求項３のいずれか一つに記載の商品贈与システム。
【請求項５】
前記商品情報は、
贈与される前記商品を取扱う前記販売店が前記登録者によって指定された販売店指定データを含み、
前記管理サーバは、
作成された前記希望商品リストの開示を、予め設定した開示可能期間内に制限する開示期間制限手段と、
前記開示可能期間を経過した前記希望商品リストから、前記贈与者に贈与されなかった前記商品についての未贈与商品情報を抽出し、前記販売店指定データによって指定された前記販売店の前記販売店端末に前記通信ネットワークを介して提供する未贈与商品情報提供手段とをさらに具備し、
前記販売店端末は、
前記未贈与商品情報の提供を、前記通信ネットワークを介して受付ける未贈与商品情報受付手段をさらに具備することを特徴とする請求項４に記載の商品贈与システム。
【請求項６】
前記管理サーバは、
前記登録者による前記希望商品リストの作成及び前記贈与者端末からの前記商品注文情報の受付けの少なくともいずれか一方の処理に対し、前記登録者または前記贈与者に利用に応じたポイントを付与し、集計するポイント付与集計手段と、
前記登録者端末または前記贈与者端末から送出される購入要求に対し、前記販売店で取扱う前記商品の販売を前記ポイントに応じて認証し、前記販売店端末に購入可能の指示を送出するポイント購入指示手段とをさらに具備し、
前記登録者端末及び前記贈与者端末の少なくともいずれか一方は、
集計された前記ポイントに応じて前記商品の購入を、前記通信ネットワークを介して要求するポイント購入手段をさらに具備し、
前記販売店端末は、
前記管理サーバからの購入可能の指示を受付け、前記ポイントによる前記商品の販売を行うポイント販売手段をさらに具備することを特徴とする請求項５に記載の商品贈与システム。
【請求項７】
前記管理サーバは、
前記登録者端末または前記贈与者端末から送出される贈与要求に対し、前記登録者または前記贈与者の利用に応じて付与し、集計された前記ポイントを贈与先の前記登録者端末または前記贈与者端末に贈与するポイント贈与手段をさらに具備し、
前記登録者端末及び前記贈与者端末の少なくともいずれか一方は、
前記管理サーバに対して前記ポイントの贈与要求を行うポイント贈与要求手段をさらに具備することを特徴とする請求項６に記載の商品贈与システム。
【請求項８】
前記管理サーバは、
前記贈与者端末から送出された前記商品注文情報の受付に応じ、前記登録者端末に前記通信ネットワークを介して前記商品について注文があったことを注文報知データに基づいて報知する注文報知手段と、
前記商品注文情報の受付に応じ、前記希望商品リストを変更するリスト変更手段と
をさらに具備することを特徴とする請求項１乃至請求項７のいずれか一つに記載の商品贈与システム。
【請求項９】
商品に関する商品基礎情報をデータベースに記憶する商品基礎情報記憶手段、記憶された前記商品基礎情報を、前記商品の贈与が期待される登録者の利用する登録者端末に対して検索可能に提供する商品基礎情報提供手段、提供された前記商品基礎情報に基づいて前記登録者の欲する前記商品が選定され、前記登録者端末から送出される前記商品に係る商品情報を、通信ネットワークを介して受付ける商品情報受付手段、受付けた複数の前記商品情報に基づいて前記登録者の欲す前記商品についての希望商品リストを作成するリスト作成手段、作成した前記希望商品リストを商品リストデータベースに記憶するリスト記憶手段、前記登録者に対して前記商品の贈与を行う贈与者の利用する贈与者端末に対し、作成された前記希望商品リストを、前記通信ネットワークを介して開示するリスト開示手段、開示された前記希望商品リストに基づいて、前記贈与者によって前記登録者に対して贈与される前記商品の決定がなされ、贈与者する前記商品が示された商品注文情報を、前記通信ネットワークを介して前記贈与者端末から受付ける注文情報受付手段、受付けた前記商品注文情報に応じ、前記商品を前記登録者に対して供給するための指示を行う供給指示手段として、前記通信ネットワークに接続した管理サーバを機能させることを特徴とする商品贈与プログラム。
【請求項１０】
前記登録者端末を利用して前記希望商品リストを作成する前記登録者に開示認証コードを付与する開示認証コード付与手段、付与した前記開示認証コードをデータベース化して記憶する開示認証コード記憶手段、前記贈与者端末から要求される前記希望商品リストの開示要求に対し、前記贈与者端末に前記開示認証コードの入力を促す開示認証コード入力要求手段、及び入力された前記開示認証コードに基づいて、前記贈与者端末を認証し、前記開示認証コードに対応する前記登録者の前記希望商品リストを開示する認証開示手段として前記管理サーバを機能させることを特徴とする請求項９に記載の商品贈与プログラム。
【請求項１１】
作成された前記希望商品リストの開示を、予め設定した開示可能期間内に制限する開示期間制限手段、前記開示可能期間を経過した前記希望商品リストから、前記贈与者に贈与されなかった前記商品についての未贈与商品情報を抽出し、販売店指定データによって指定された販売店の販売店端末に前記通信ネットワークを介して提供する未贈与商品情報提供手段として前記管理サーバを機能させ、
前記未贈与商品情報の提供を、前記通信ネットワークを介して受付ける未贈与商品情報受付手段として前記販売店端末を機能させることを特徴とする請求項９または請求項１０に記載の商品贈与プログラム。
【請求項１２】
前記登録者による前記希望商品リストの作成及び前記贈与者端末からの前記商品注文情報の受付けの少なくともいずれか一方の処理に対し、前記登録者または前記贈与者に利用に応じたポイントを付与し、集計するポイント付与集計手段、及び前記登録者端末または前記贈与者端末から送出される購入要求に対し、前記販売店で取扱う前記商品の販売を前記ポイントに応じて認証し、前記販売店端末に購入可能の指示を送出するポイント購入指示手段として前記管理サーバをさらに機能させ、
集計された前記ポイントに応じて前記商品の購入を、前記通信ネットワークを介して要求するポイント購入手段として前記登録者端末及び前記贈与者端末の少なくともいずれか一方を機能させ、
前記管理サーバからの購入可能の指示を受付け、前記ポイントによる前記商品の販売を行うポイント販売手段として前記販売店端末をさらに機能させることを特徴とする請求項１１に記載の商品贈与プログラム。
【請求項１３】
前記登録者端末または前記贈与者端末から送出される贈与要求に対し、前記登録者または前記贈与者の利用に応じて付与し、集計された前記ポイントを贈与先の前記登録者端末または前記贈与者端末に贈与するポイント贈与手段として、前記管理サーバを機能させ、
前記登録者端末及び前記贈与者端末の少なくともいずれか一方は、
前記管理サーバに対して前記ポイントの贈与要求を行うポイント贈与要求手段として、前記登録者端末及び前記贈与者端末の少なくともいずれか一方をさらに機能させることを特徴とする請求項１２に記載の商品贈与プログラム。
【請求項１４】
前記贈与者端末から送出された前記商品注文情報の受付に応じ、前記登録者端末に前記通信ネットワークを介して前記商品について注文があったことを注文報知データに基づいて報知する注文報知手段、及び前記商品注文情報の受付に応じ、前記希望商品リストを変更するリスト変更手段として前記管理サーバを機能させることを特徴とする請求項９乃至請求項１３のいずれか一つに記載の商品贈与プログラム。
【発明の詳細な説明】
【技術分野】
【０００１】
本発明は、商品贈与システム、及び商品贈与プログラムに関するものであり、特に、登録者が予め自らが贈与されることを希望する複数の商品についてリストアップした希望商品リストを作成し、通信ネットワークを介して登録者の知人等が希望商品リストの中から贈与する商品を選択し、登録者に贈与することが可能な商品贈与システム、及び商品贈与プログラムに関するものである。
【背景技術】
【０００２】
従来から、家族、親類、友人、及び知人同士の間で、例えば、冠婚葬祭にまつわる種々の行事等において、物品等の贈り物を贈り合うことが慣習となっている。さらに、冠婚葬祭に限らず誕生日、クリスマス、結婚記念日、バレンタインデーなどの種々の記念日でも相互にプレゼントをやり取りすることが行われている。加えて、日本古来にはお歳暮やお中元などを半年に一度、贈り合っている。このような場合、贈り物を贈る側の人（贈与者）は、贈り物を受取る側（受取者）の気持ちを考え、受取者の相手がどのようなものを受け取った場合に最も喜ぶかを考えながら、物品（プレゼント）を選定している。また、新築祝いや出産祝いなどの場合には、その家庭に不足しているもの、或いはより実用的なものを贈る傾向がある。しかしながら、これらの贈り物を贈る慣習では、贈与者側の気持ちと、受取者側の気持ちが必ずしも一致することがなく、受取者にとっては真に欲するものとは異なる物品等を受取ることがあった。さらに、前述の新築祝いや出産祝い等のように、一度に複数の贈与者から贈り物が贈与される場合には、それぞれの贈与者の気持ちが一致し、同じような商品が重複して受取者に贈られる場合もある。
【０００３】
一方、アメリカなどでは、プレゼントを受取る本人（受取者）が、予め自らが希望する商品をリストアップしたリストを作成し、百貨店などに予め登録していることがある。すなわち、百貨店などで取り扱っている種々の商品の中から、贈り物としてもらいたい商品を選定している。そして、当該本人に対してその百貨店からプレゼントを贈ろうとする友人等は、作成されたリストの内容を確認しながら、予算に応じて商品を購入し、本人に贈っている。また、一つの商品が高額な場合には、複数の友人同士がそれぞれ購入資金を出し合うことにもある。これにより、プレゼントを贈る贈与者にとっては、受取る本人の希望に沿った、さらに換言すれば、確実に本人が喜ぶ商品をプレゼントすることができる。そのため、相手の気持ちを予測して何をプレゼントしようと悩む必要がない。一方、贈られる本人にとっても、以前から欲しいと感じていた商品を入手することができる。さらに、プレゼントされた商品は当該リストから削除されるため、同一の商品を重複して受取るようなこともない。
【０００４】
上述したように、日本の冠婚葬祭等、或いはその他の行事において行われる物品等の贈与は、贈与者側の考えと、受取者側の考えとが合致することが少なく、必ずしも心のこもった贈り物となることはなかった。さらに、複数の贈与者から同種のものが重複して贈られることもあり、非効率的であった。一方、アメリカ等で採用されている予め希望する商品のリストを作成し、登録するものは、贈与者側及び受取者側の双方の利害が一致するものであり、非常に合理的なシステムであると言える。
【０００５】
以上の従来技術は、当業者として当然に実施されているものであり、本願出願人は、係る従来技術が記載された文献等を本願出願時における現段階では特に知見するものではない。
【発明の開示】
【発明が解決しようとする課題】
【０００６】
しかしながら、アメリカ方式のシステムは、以下に掲げる問題が生じることがあった。すなわち、プレゼントを受け取ろうとする本人（受取者）は、リストを作成する百貨店等を選定し、当該百貨店で取扱われている商品の中から欲しい物をリストアップしていた。そのため、多くの種類の商品をリストアップしようとする場合には、これらの百貨店等の大型商業施設のそれぞれに対してリストを作成する必要があり面倒であった。また、宝石、乗用車、及び不動産などの高額な商品については、リストアップすることが出来ないケースも想定され、現在市場に流通しているほとんど全ての商品を対象とすることができなかった。
【０００７】
加えて、リストアップされた商品の一部は、友人等によって選定され、本人にプレゼントされるものの、リストの中の商品の一部は、高額などの理由からプレゼントの対象から外れ、いつまでたってもプレゼントされないものが残ることがあった。そのため、これらのプレゼントの対象から外れた商品については、受取者側の本人が購入したり、或いは当該商品の入手を断念することがあった。
【０００８】
また、百貨店などでは、予めリストを作成し、登録することによって自らの店舗で商品を購入してもらえることによりメリットはあるものの、その作成されたリスト自体を有益な情報として活用していることはなかった。特に、前述のようなプレゼントの対象から外れ、いつまでもリストに残ってしまうような商品についての情報を有効に取扱うことがなかった。
【０００９】
そこで、本発明は、上記実情に鑑み、複数の取扱い可能な商品から贈与されることを期待する商品のリストを作成し、その中から贈与者によって商品の贈与が可能で、かつ贈与されなかった商品についての情報を有効に活用可能な商品贈与システム、及び商品贈与プログラムの提供を課題とするものである。
【課題を解決するための手段】
【００１０】
上記の課題を解決するため、本発明の商品贈与システムは、「通信ネットワークに接続された管理サーバを利用して商品の贈与を行う商品贈与システムであって、前記管理サーバは、前記商品に関する商品基礎情報をデータベースに記憶する商品基礎情報記憶手段と、記憶された前記商品基礎情報を、前記商品の贈与が期待される登録者の利用する登録者端末に対して検索可能に提供する商品基礎情報提供手段と、提供された前記商品基礎情報に基づいて前記登録者の欲する前記商品が選定され、前記登録者端末から送出される前記商品に係る商品情報を、前記通信ネットワークを介して受付ける商品情報受付手段と、受付けた複数の前記商品情報に基づいて前記登録者の欲する前記商品についての希望商品リストを作成するリスト作成手段と、作成した前記希望商品リストを商品リストデータベースに記憶するリスト記憶手段と、前記登録者に対して前記商品の贈与を行う贈与者の利用する贈与者端末に対し、作成された前記希望商品リストを、前記通信ネットワークを介して開示するリスト開示手段と、開示された前記希望商品リストに基づいて、前記贈与者によって前記登録者に対して贈与される前記商品の決定がなされ、贈与者する前記商品が示された商品注文情報を、前記通信ネットワークを介して前記贈与者端末から受付ける注文情報受付手段と、受付けた前記商品注文情報に応じ、前記商品を前記登録者に対して供給するための指示を行う供給指示手段と」を主に具備して構成されている。
【００１１】
さらに、本発明の商品贈与システムは、上記構成に加え、「前記登録者端末は、前記登録者の希望する前記商品についての前記商品情報の入力を受付ける商品情報入力手段と、受付けた前記商品情報を、前記通信ネットワークを介して前記管理サーバに送出する商品情報送出手段とをさらに具備し、前記贈与者端末は、前記管理サーバに対し、作成された前記登録者に対応する前記希望商品リストの開示を、前記通信ネットワークを介して要求する開示要求手段と、前記開示要求手段に応じて開示された前記希望商品リストを閲覧可能に表示する閲覧手段と、開示された前記希望商品リストの中から前記贈与者によって前記登録者に対して贈与される前記商品の決定がなされ、贈与する前記商品が示された前記商品注文情報を、前記管理サーバに対して前記通信ネットワークを介して送出する注文情報送出手段と」を具備するものであっても構わない。
【００１２】
ここで、商品の贈与とは、例えば、古くから互いに贈り物を贈り合う冠婚葬祭の行事や、誕生日、クリスマス、及びバレンタインデーなどの種々の記念日等のイベント、或いはお中元やお歳暮などの定期的及び不定期的に物品等が贈られるものが相当する。また、贈与される商品とは、特に限定されないが、家電製品、家具、装飾品等の有体物として存する物品、及び庭園の手入れ、家屋の補修、マッサージ治療、及び宿泊施設の提供等のサービス（役務）に該当する無体物を含み、流通性を有するものを全て含むものとして本明細書中においては定義する。そのため、取扱われる商品には、例えば、海産物などの産地直送の生鮮食料品などを含んでいてもよい。
【００１３】
さらに、登録者端末とは、複数の商品情報を入力し、管理サーバにおいて希望商品リストを作成する登録者の利用するものである。また、当該登録者は、予め管理サーバに、登録者の氏名、贈与される商品の配送先住所、及び連絡先電話番号若しくは電子メールアドレスなどの、登録者を識別し、特定することが可能な情報がデータベース化して記憶しておく必要がある。一方、贈与者端末とは、登録者に対して商品を贈与する贈与者が利用するものであり、インターネット等の通信ネットワークを介して希望商品リストを閲覧し、商品注文情報を送出することができるものである。ここで、登録者端末及び贈与者端末は、いずれも通信ネットワークに接続可能な機能を有し、商品注文情報の入力及び送出が可能な情報通信機器であればよく、例えば、市販のパーソナルコンピュータ、インターネット接続機能を有する携帯電話、及びＰＤＡ（個人情報端末）などを利用することが可能である。一方、管理サーバも同様に、種々のデータを一括して管理及び処理することができるような、市販の汎用サーバを利用して構築されているものを例示することができる。なお、贈与者については、前述した氏名、住所、及び連絡先等の贈与者自身を特定することができる情報とともに、注文した商品に対する支払い方法（クレジットカード決済、或いは銀行振込など）を指定した情報も併せて記憶されている。
【００１４】
したがって、本発明の商品贈与システムによれば、インターネット等の通信ネットワークに接続された管理サーバによって、登録者端末から送出される商品情報に基づいて、個々の登録者毎の希望商品リストが作成され、贈与者端末に対して該希望商品リストの内容が開示される。この希望商品リストには、登録者が欲し、贈与者によって贈与されることを期待する商品が複数リストアップされている。なお、リストアップする商品を選定する際に、管理サーバに記憶され、検索可能に提供される商品基礎情報を参照してもよい。係る商品基礎情報には、商品名、商品型番、販売価格などの基本的な情報が含まれている。
【００１５】
そして、開示された希望商品リストを閲覧した贈与者は、予算に応じ、希望商品リストの中から登録者に対して贈与する商品を決定し、その商品を注文する商品注文情報が贈与者端末から送出される。一方、管理サーバは、贈与者端末から送出される商品注文情報を、通信ネットワークを介して受付け、さらに注文された商品を登録者に対して供給する指示、すなわち、登録者の手元に届くように配送などの指示を行う。このとき、供給の指示は、管理サーバを運営する運営会社に設置された商品配送部門に送出され、在庫としてストックされている商品をそれぞれの登録者の配送先住所に配送するものであっても、或いは予め契約を締結した販売店及び卸売業者に対して送出されるものであってもよい。さらに、上述した商品に包含されるサービス等の注文が行われた場合には、当該サービスを提供できる施設若しくは人材に指示が出され、登録者との日時及び場所等の調整を図った上でサービスが提供される。
【００１６】
その結果、贈与者は、通信ネットワークを介して登録者を喜ばせることができる商品を贈与することが可能となり、商品の選定に悩まされることがない。一方、登録者は自らが欲していた商品を入手することができ、贈与された商品に対して不満等を感じることがない。さらに、通信ネットワークを介して複数の商品を取扱うことが可能であるため、従来のように各々の百貨店毎に希望する商品のリストを作成しておく必要がなく、希望商品リストの統一化を図ることができる。その結果、花やジュエリーなどのプレゼントとして頻繁に贈られる商品から、高級車、マリンボード、自家用飛行機、及び不動産などの高額の商品についても本システム内で一括して取扱うことができる。
【００１７】
なお、上述の操作において、登録者端末によって商品情報の送出を行う場合、既に希望する商品等が決定している場合には、商品基礎情報提供手段に基づく検索を行うことなく、商品についての商品情報を直接入力し、管理サーバに送出するものであっても構わない。
【００１８】
さらに、本発明の商品贈与システムは、上記構成に加え、「前記管理サーバは、前記登録者端末を利用して前記希望商品リストを作成する前記登録者に開示認証コードを付与する開示認証コード付与手段と、付与した前記開示認証コードをデータベース化して記憶する開示認証コード記憶手段と、前記贈与者端末から要求される前記希望商品リストの開示要求に対し、前記贈与者端末に前記開示認証コードの入力を促す開示認証コード入力要求手段と、入力された前記開示認証コードに基づいて、前記贈与者端末を認証し、前記開示認証コードに対応する前記登録者の前記希望商品リストを開示する認証開示手段と」をさらに具備するものであっても構わない。
【００１９】
前述したように、登録者は、希望商品リストの作成時若しくはそれ以前に登録者自身を特定するような情報を管理サーバに対して登録しておく必要がある。このとき、登録に際し、管理サーバから該登録者を識別する開示認証コード（例えば，ＩＤ及びパスワードからなる組合せ）を付与する。これにより、各登録者毎に作成された希望商品リストを判別することができる。そして、登録者は、付与された開示認証コードを、自分に対して商品をプレゼントしてくれる友人や知人等に知らせる。なお、登録者及び贈与者は、商品を贈与（またはされる）間柄であるため、当然のことながらお互いの連絡先等は理解している。そのため、この開示認証コードは、本システムとは離間した口頭、郵送、電話、ファクシミリ、及び電子メールなどの種々の伝達手段によってそれぞれの伝えられる。これにより、贈与者は、商品を贈与しようとする登録者についての開示認証コードを限定的に得ることができる。なお、本システムをインターネットを通じて提供する場合、管理サーバによって提供されるホームページのＵＲＬアドレスを、開示認証コードと併せて教示することにより、贈与者を本システムに導きやすくなる。
【００２０】
したがって、本発明の商品贈与システムによれば、管理サーバに登録された登録者を識別する開示認証コードが登録者または登録者端末に対して付与される。そして、登録者は、自らの登録者コードを一人または複数の贈与者に対して口頭等の連絡手段によって伝え、自らの欲している商品がリストアップされた希望商品リストが、本システムの管理サーバに作成されている旨を知らせる。
【００２１】
その後、贈与者は贈与者端末を用いて通信ネットワークを介して管理サーバに接続し、上述の希望商品リストを閲覧することを要求する。このとき、管理サーバからは、登録者から知らされた開示認証コードの入力が要求される。そして、贈与者端末によって係る開示認証コードが入力され、管理サーバによって認証が確認されることによって希望商品リストの開示が当該開示認証コードを入力した贈与者端末に限定して行われる。すなわち、登録者の希望商品リストを登録者の知人等に開示認証コードによって限定して開示することが可能である。そのため、希望商品リストの内容を不正に取得し、悪用することを防ぐことができる。ここで、希望商品リストは、「誰が何を欲している」かを示すものであり、商品を販売する販売店にとっては商品を買ってくれる可能性の高い、いわば「優良顧客」である。そのため、通信ネットワークを通じて希望商品リストに係る情報を無制限に開示することは、登録者個人のプライバシーを侵害する可能性も高くなり、複数の販売店から本システムとは別にダイレクトメールや電話等の営業活動が行われる可能性がある。また、中にはこの情報を悪意をもって利用しようとする業者も出ることが想定される。そのため、開示認証コードによって、希望商品リストの開示を友人等に限定することにより、上述の問題を解消することができる。
【００２２】
さらに、本発明の商品贈与システムは、上記構成に加え、「前記商品基礎情報記憶手段及び前記商品基礎情報提供手段は、前記商品の販売を取扱う販売店に設置され、前記通信ネットワークに接続した販売店端末に分散して形成され、前記販売店端末は、前記商品基礎情報を記憶する分散商品基礎情報記憶手段と、前記通信ネットワークを介して前記商品基礎情報を提供する分散商品基礎情報提供手段と」を具備するものであっても構わない。
【００２３】
したがって、本発明の商品贈与システムによれば、登録者が商品情報を入力する際の参考とする商品基礎情報が、それぞれの商品を販売する販売店端末に分散して記憶され、さらに提供されている。ここで、前述したように、本システムで取扱う商品については、不動産等を含み多岐にわたるため管理サーバでこれらの情報を一括して記憶し、係る情報を提供することは記憶容量が肥大化し、管理サーバの処理に多大な負荷をかけることとなり、現実的には困難である。そこで、それぞれの商品についての商品基礎情報を、各販売店端末に分散して記憶し、提供することにより、管理サーバに処理の負担を軽減することが回避される。なお、ここで示す販売店には、前述したように”サービスの提供”を行う店舗を含むものとする。
【００２４】
さらに、本発明の商品贈与システムは、上記構成に加え、「前記商品情報は、贈与される前記商品を取扱う前記販売店が前記登録者によって指定された販売店指定データを含み、前記管理サーバは、作成された前記希望商品リストの開示を、予め設定した開示可能期間内に制限する開示期間制限手段と、前記開示可能期間を経過した前記希望商品リストから、前記贈与者に贈与されなかった前記商品についての未贈与商品情報を抽出し、前記販売店指定データによって指定された前記販売店の前記販売店端末に前記通信ネットワークを介して提供する未贈与商品情報提供手段とをさらに具備し、前記販売店端末は、前記未贈与商品情報の提供を、前記通信ネットワークを介して受付ける未贈与商品情報受付手段を」具備するものであっても構わない。
【００２５】
ここで、商品情報には、商品の販売を取扱う販売店を登録者自身が指定する販売店指定データが含まれている。例えば、同一商品を取扱う販売店が複数存在している場合（例えば、家電量販店など）、商品を贈与する贈与者は、どの販売店から商品を購入し、贈与するかは基本的には自由である。しかしながら、登録者の居住する地域内の販売店から当該商品が贈与されることを希望すれば、商品の贈与後にその販売店からのアフターサービスや故障時などのメンテナンスの提供を受けることができる。つまり、登録者は馴染みのある販売店やアフターサービス等の保証制度の整った販売店から商品が贈与された方がメリットが大きい。そこで、商品情報に販売店を指定する販売店指定データを含めることにより、前述した利点を登録者が享受することができるようになる。
【００２６】
また、本発明の商品贈与システムによれば、通信ネットワークを介して希望商品リストを開示する開示可能期間（例えば、三ヶ月間など）に制限が設けられている。そして、開示可能期間の経過した希望商品リストの中で未贈与の商品がある場合、その商品についての未贈与商品情報を抽出し、登録者によって指定された販売店指定データに基づく販売店（販売店端末）に対して限定的に提供される。ここで、未贈与商品情報は、登録者が入手を希望しているものにも係わらず、現実に未だ誰からも贈与されていないものであり、登録者は真にその商品を欲しているものである。そのため、未贈与商品情報の提供を受けた販売店は、その情報を活用し、例えば、当該登録者に対して商品を格安に提供するなどのダイレクトメールを送付するなどの直接的な営業をかけることができる。これにより、登録者は贈与されなかった商品を格安の価格で自らが購入できるようになる。さらに、販売店にとっても「潜在的な顧客」の存在を未贈与商品情報に基づいて知ることができるため、積極的な営業を展開し、販売店の売上げを伸ばすことに貢献できる。また、自ら販売店を指定しているため、登録者自身のプライバシー等も保護することができる。なお、商品情報の入力の際に販売店指定データを含める場合には、係る販売店等からの営業が行われることを、登録者自身に知らせておくことが適当である。さらに、登録者も通常の販売価格よりも格安で希望する商品を購入することができるためメリットがある。
【００２７】
さらに、本発明の商品贈与システムは、上記構成に加え、「前記管理サーバは、前記登録者による前記希望商品リストの作成及び前記贈与者端末からの前記商品注文情報の受付けの少なくともいずれか一方の処理に対し、前記登録者または前記贈与者に利用に応じたポイントを付与し、集計するポイント付与集計手段と、前記登録者端末または前記贈与者端末から送出される購入要求に対し、前記販売店で取扱う前記商品の販売を前記ポイントに応じて認証し、前記販売店端末に購入可能の指示を送出するポイント購入指示手段とをさらに具備し、前記登録者端末及び前記贈与者端末の少なくともいずれか一方は、集計された前記ポイントに応じて前記商品の購入を、前記通信ネットワークを介して要求するポイント購入手段をさらに具備し、前記販売店端末は、前記管理サーバからの購入可能の指示を受付け、前記ポイントによる前記商品の販売を行うポイント販売手段を」具備するものであっても構わない。
【００２８】
したがって、本発明の商品贈与システムによれば、商品を贈与する贈与者または希望商品リストを作成する登録者の本システムの利用者に対し、システムの利用に応じてポイントが付与され、管理サーバに登録された販売店が提供する商品を登録者若しくは贈与者自身がポイントを利用して購入することができる。ここで、登録者及び贈与者は、状況に応じてその立場が逆転する場合もある。すなわち、出産祝いや結婚祝いなどを本発明の商品贈与システムを利用して贈与された登録者は、それに対して「お祝い返し」を行うことがある。このとき、最初の登録者は、今度は贈与者として振る舞い、一方、最初の贈与者は登録者として振る舞うことがある。そのため、互いに本システムを利用することによって、より多くのポイントを得ることが可能となり、さらに集計されたポイントに応じて商品を購入することができる。つまり、利用に応じて集計されたポイントを所謂「電子マネー」として活用することができる。これにより、本システムを利用する利用者の増加が見込まれるようになる。また、販売店にとっても本システムが利用される機会が増えることにより、取扱う商品の販売が多くなるため、本システムに参加することにメリットを感じることができる。なお、本システムを利用して贈与される商品には、価格の他にポイントを併記し、この集計されたポイントを利用して自らが購入すること、或いはポイントを利用して再び登録者に対して商品を贈与することが可能となる。
【００２９】
さらに、本発明の商品贈与システムは、上記構成に加え、「前記管理サーバは、前記登録者端末または前記贈与者端末から送出される贈与要求に対し、前記登録者または前記贈与者の利用に応じて付与し、集計された前記ポイントを贈与先の前記登録者端末または前記贈与者端末に贈与するポイント贈与手段をさらに具備し、前記登録者端末及び前記贈与者端末の少なくともいずれか一方は、前記管理サーバに対して前記ポイントの贈与要求を行うポイント贈与要求手段を」さらに具備するものであっても構わない。
【００３０】
したがって、本発明の商品贈与システムによれば、本システムを利用することにより、それぞれ付与され、管理サーバに集計されているポイントを登録者及び贈与者の間で分配し、贈与することが可能となる。すなわち、システムの利用に応じて付与されたポイントは、前述のように、電子マネーとして利用可能なものであり、それ自体で一定の金銭的価値を有するものである。そのため、係るポイント自体を互いに贈与することにより、いわば「商品券」を贈っているものと同様の効果を与えることができ、システムの利便性をより向上させることができる。
【００３１】
さらに、本発明の商品贈与システムは、上記構成に加え、「前記管理サーバは、前記贈与者端末から送出された前記商品注文情報の受付に応じ、前記登録者端末に前記通信ネットワークを介して前記商品について注文があったことを注文報知データに基づいて報知する注文報知手段と、前記商品注文情報の受付に応じ、前記希望商品リストを変更するリスト変更手段と」を具備するものであっても構わない。
【００３２】
したがって、本発明の商品贈与システムによれば、商品の注文がなされたことを注文報知データによって登録者に報知することができる。さらに、注文がなされた商品については、希望商品商品リストから除外する、或いは希望商品リストの注文済みを示す記号を付すなどの変更処理が行われる。これにより、従来は可能性の高かった、他の贈与者が同一商品を重複して登録者に贈与するような不都合を生じることがない。なお、注文報知データは、電子メール等によって行うことが可能であり、この際に贈与者の顔の画像や動画等を添付し、注文の報知に趣向を凝らしたものであってもよい。さらに、登録者が複数個の同一商品の贈与を希望している場合には、前述したリスト変更手段による希望商品リストの変更処理をキャンセルしてもよい。
【００３３】
一方、本発明の商品贈与プログラムは、「商品に関する商品基礎情報をデータベースに記憶する商品基礎情報記憶手段、記憶された前記商品基礎情報を、前記商品の贈与が期待される登録者の利用する登録者端末に対して検索可能に提供する商品基礎情報提供手段、提供された前記商品基礎情報に基づいて前記登録者の欲する前記商品が選定され、前記登録者端末から送出される前記商品に係る商品情報を、通信ネットワークを介して受付ける商品情報受付手段、受付けた複数の前記商品情報に基づいて前記登録者の欲す前記商品についての希望商品リストを作成するリスト作成手段、作成した前記希望商品リストを商品リストデータベースに記憶するリスト記憶手段、前記登録者に対して前記商品の贈与を行う贈与者の利用する贈与者端末に対し、作成された前記希望商品リストを、前記通信ネットワークを介して開示するリスト開示手段、開示された前記希望商品リストに基づいて、前記贈与者によって前記登録者に対して贈与される前記商品の決定がなされ、贈与者する前記商品が示された商品注文情報を、前記通信ネットワークを介して前記贈与者端末から受付ける注文情報受付手段、受付けた前記商品注文情報に応じ、前記商品を前記登録者に対して供給するための指示を行う供給指示手段として、前記通信ネットワークに接続した管理サーバを機能させる」ものから主に構成されている。
【００３４】
さらに、本発明の商品贈与プログラムは、上記構成に加え、「前記登録者端末を利用して前記希望商品リストを作成する前記登録者に開示認証コードを付与する開示認証コード付与手段、付与した前記開示認証コードをデータベース化して記憶する開示認証コード記憶手段、前記贈与者端末から要求される前記希望商品リストの開示要求に対し、前記贈与者端末に前記開示認証コードの入力を促す開示認証コード入力要求手段、及び入力された前記開示認証コードに基づいて、前記贈与者端末を認証し、前記開示認証コードに対応する前記登録者の前記希望商品リストを開示する認証開示手段として前記管理サーバを機能させる」ものであっても構わない。
【００３５】
さらに、本発明の商品贈与プログラムは、上記構成に加え、「作成された前記希望商品リストの開示を、予め設定した開示可能期間内に制限する開示期間制限手段、前記開示可能期間を経過した前記希望商品リストから、前記贈与者に贈与されなかった前記商品についての未贈与商品情報を抽出し、販売店指定データによって指定された販売店の販売店端末に前記通信ネットワークを介して提供する未贈与商品情報提供手段として前記管理サーバを機能させ、前記未贈与商品情報の提供を、前記通信ネットワークを介して受付ける未贈与商品情報受付手段として前記販売店端末を機能させる」ものであっても構わない。
【００３６】
さらに、本発明の商品贈与プログラムは、上記構成に加え、「前記登録者による前記希望商品リストの作成及び前記贈与者端末からの前記商品注文情報の受付けの少なくともいずれか一方の処理に対し、前記登録者または前記贈与者に利用に応じたポイントを付与し、集計するポイント付与集計手段、及び前記登録者端末または前記贈与者端末から送出される購入要求に対し、前記販売店で取扱う前記商品の販売を前記ポイントに応じて認証し、前記販売店端末に購入可能の指示を送出するポイント購入指示手段として前記管理サーバをさらに機能させ、集計された前記ポイントに応じて前記商品の購入を、前記通信ネットワークを介して要求するポイント購入手段として前記登録者端末及び前記贈与者端末の少なくともいずれか一方を機能させ、前記管理サーバからの購入可能の指示を受付け、前記ポイントによる前記商品の販売を行うポイント販売手段として前記販売店端末をさらに機能させる」ものであっても構わない。
【００３７】
さらに、本発明の商品贈与プログラムは、上記構成に加え、「前記登録者端末または前記贈与者端末から送出される贈与要求に対し、前記登録者または前記贈与者の利用に応じて付与し、集計された前記ポイントを贈与先の前記登録者端末または前記贈与者端末に贈与するポイント贈与手段として、前記管理サーバを機能させ、前記登録者端末及び前記贈与者端末の少なくともいずれか一方は、前記管理サーバに対して前記ポイントの贈与要求を行うポイント贈与要求手段として、前記登録者端末及び前記贈与者端末の少なくともいずれか一方をさらに機能させる」ものであっても構わない。
【００３８】
さらに、本発明の商品贈与プログラムは、上記構成に加え、「前記贈与者端末から送出された前記商品注文情報の受付に応じ、前記登録者端末に前記通信ネットワークを介して前記商品について注文があったことを注文報知データに基づいて報知する注文報知手段、及び前記商品注文情報の受付に応じ、前記希望商品リストを変更するリスト変更手段として前記管理サーバを機能させる」ものであっても構わない。
【００３９】
したがって、本発明の商品贈与プログラムによれば、これらのプログラムを実行することにより、管理サーバを利用した商品贈与システムにおける上述の優れた作用を奏させることが可能となる。
【発明の効果】
【００４０】
本発明の効果として、通信ネットワークに接続された管理サーバを利用して、登録者が欲する商品のリストを予め作成し、これを通信ネットワーク上に開示することができる。そして、開示された希望商品リストに基づいて商品を贈与しようとする贈与者が商品注文情報を送出することにより、管理サーバから供給の指示がなされ、登録者が商品を入手することができ、商品の贈与が完了する。
【００４１】
これにより、登録者は自らが欲しているものをプレゼントされることができ、プレゼントに対して失望感を覚えることがない。一方、プレゼントをする贈与者にとっても、何が喜ばれるか等の相手方の気持ちを考え、悩む必要がなく、効率的に商品を贈ることができる。さらに、現在市場に流通している商品（役務を含む）の全てを対象として取扱うことができるため、これまでの百貨店毎にリストを作成する手間がかからない。さらに、商品に関する情報が各販売店の端末に分散して記憶され、提供されるため本システムを管理する管理サーバに多大な負荷がかかることがない。また、希望商品リストは、予め登録者に付与された開示認証コードが教示された登録者の友人や知人などの制限された贈与者のみが贈与者端末から閲覧することが可能であり、登録者のプライバシーを守り、希望商品リストを悪意を持って不正に利用する通信販売業者などに情報が漏れることがない。加えて、希望商品リストに挙げられたものの、贈与がされなかった商品についての情報が、所定の開示期間経過後に販売店指定データに指定された販売店端末に対して限定的に開示される。その結果、販売店端末は、その希望商品リストを作成した登録者に対し、割安で商品を提供するなどのダイレクトメールなどの積極的な営業を行うことにより、登録者自身が商品を購入するように促すことができるなど、未贈与の商品、販売店にとっては売れ残った商品に関する情報を有効に活用することができる。
【発明を実施するための最良の形態】
【００４２】
以下、本発明の一実施形態である商品贈与システム１について、図１乃至図７に基づいて説明する。ここで、図１は本実施形態の商品贈与システム１の概略構成を模式的に示す説明図であり、図２は商品贈与システム１における管理サーバ２の機能的構成を示すブロック図であり、図３は商品贈与システム１における販売店端末３、登録者端末４及び贈与者端末５の機能的構成を示すブロック図であり、図４乃至図７は管理サーバ２、販売店端末３、登録者端末４、及び贈与者端末５におけるそれぞれの処理の流れを示すフローチャートである。
【００４３】
本実施形態の商品贈与システム１は、図１に主に示すように、インターネット１００（通信ネットワークに相当）に接続し、インターネット１００上で登録者１０１及び贈与者１０２の間で行われる商品１０３（プレゼント等に相当）の贈与を管理し、運営する管理運営会社１０４によって設置された管理サーバ２と、管理サーバ２と接続し、贈与対象となる商品１０３を取扱い、販売を行う販売店１０５にそれぞれ設置された販売店端末３と、商品１０３の贈与を期待し、入手を希望する商品１０３をリスト化した希望商品リスト６を作成する登録者１０１が利用する登録者端末４と、登録者１０１に対して商品１０３の贈与を行う贈与者１０２によって利用される贈与者端末５とから主に構成されている。
【００４４】
さらに、詳細に説明すると、管理サーバ２は、図２に示すように、その機能的構成として、贈与対象として取扱われる複数の商品１０３についての商品名、製造会社名、商品型番等の商品データ１０６及び該商品１０３を販売する販売店１０５を示す販売店データ１０７を含む商品基礎情報７を商品基礎情報データベース８としてデータベース化して記憶した商品基礎情報記憶手段９と、記憶された商品基礎情報データベース８をインターネット１００を通じ、商品基礎情報７を検索可能に提供する商品基礎情報提供手段１０と、商品基礎情報７の提供の結果若しくは登録者端末４によって直接入力され、登録者１０１が入手を望んでいる商品１０３についての商品情報１１を、インターネット１００を介して受付ける商品情報受付手段１２と、受付けた複数の商品情報１１に基づいて、登録者１０１別の希望商品リスト６を作成するリスト作成手段１３と、作成された希望商品リスト６を商品リストデータベース１０８に記憶するリスト記憶手段１４と、希望商品リスト６を作成する登録者１０１に対して予め開示認証コード１５を付与する開示認証コード付与手段１６と、付与した開示認証コード１５をデータベース化して記憶する開示認証コード記憶手段１７と、作成した希望商品リスト６の開示を要求する贈与者端末５に対して、開示要求対象の登録者１０１についての開示認証コード１５の入力を要求する開示認証コード入力要求手段１８と、開示認証コード入力要求手段１８に応じて入力された開示認証コード１５によって贈与者端末５を認証し、登録者１０１に係る希望商品リスト６を限定的に開示する認証開示手段１９とを主に具備している。なお、商品基礎情報データベース８の一部は、後述する各販売店１０５に設置された販売店端末３に分散して設けられている。また、商品基礎情報記憶手段９、開示認証コード記憶手段１７、及びリスト記憶手段１４、及びその他種々の情報及びデータを統合して記憶するために記憶手段２０が構築されている。ここで、認証開示手段１９が本発明におけるリスト開示手段に相当する。また、インターネット１００が本発明における通信ネットワークに相当する。なお、商品基礎情報７には、販売価格及び後述するポイント１１１を利用して商品１０３の購入若しくは贈与するための必要ポイント数が併記されている。
【００４５】
さらに、管理サーバ２は、開示された希望商品リスト６に基づいて、贈与者１０２が登録者１０１に対して贈与する商品１０３を決定し、贈与者端末５からインターネット１００を介して送出する商品注文情報２２を受付ける注文情報受付手段２３と、受付けた商品注文情報２２に応じて、登録者１０１に対して商品１０３を供給するために配送業者若しくは販売店に対して配送の指示を行う供給指示手段２４と、作成された希望商品リスト６の贈与者端末５に対する開示を、希望商品リスト６と対応する開示期間情報１１０によって予め設定した開示期間に制限する開示期間制限手段２５と、開示期間制限手段２５によって開示期間が経過した希望商品リスト６から未贈与の商品１０３についての未贈与商品情報２６を抽出し、商品情報１１に付された販売店指定データ２７によって指定された販売店に設定された販売店端末３に、インターネット１００を介して提供する未贈与商品情報提供手段２８と、希望商品リスト６の作成を行った登録者１０１及び商品注文情報２２の送出を行った贈与者１０２に対し、利用に応じたポイント１１１を付与し、登録者１０１及び贈与者１０２毎に集計するポイント付与集計手段２９と、集計されたポイント１１１を利用して登録者１０１及び贈与者１０２が本システム１に登録された販売店１０５で取扱われる商品１０３を購入することを認め、販売店端末３に対して購入可能の指示を送出するポイント購入指示手段３０と、商品注文情報２２の受付けに応じ、作成された希望商品リスト６の中から少なくとも一つの商品１０３について注文を受付けたことを登録者端末４に対して報知する注文報知手段３１と、注文済みの商品１０３を希望商品リスト６から除外する変更を行うリスト変更手段３２とをさらに具備している。また、ポイント購入支持手段３０には、後述する集計し、各々の登録者１０１等によって獲得されたポイント１１１の少なくとも一部を他の登録者１０１等に対して分配し、ポイント１１１の贈与を行うことを可能とするポイント贈与手段としての機能を併せて有している。
【００４６】
さらに、本実施形態の管理サーバ２は、インターネット１００を通じて種々の情報及びデータの送受を各端末３，４，５に対してそれぞれ行うための管理側送信制御手段３３及び管理側受信制御手段３４を有する管理側通信手段３５を有している。
【００４７】
また、記憶手段２０には、集計されたポイント１１１に係るポイント集計情報３６、及び本システム１を利用する登録者１０１、贈与者１０２、及び販売店１０５についての氏名（または名称）、住所、及び連絡先等の基本的な事項についての登録者データ１１２、贈与者データ１１３、及び販売店データ１０７を有するシステム基本情報３７が記憶されている。なお、販売店データ１０７は、前述した商品基礎情報７に含まれているものと同様のものがここでは記録されている。
【００４８】
一方、登録者端末４は、図３に主に示すように、管理サーバ２から検索可能に提供される商品基礎情報７を検索する検索手段４０と、検索の結果等を参考にして、管理サーバ２に対して希望商品リスト６を作成するための商品情報１１の入力を受付ける商品情報入力手段４１と、入力を受付けた商品情報１１をインターネット１００を介して管理サーバ２に送出する商品情報送出手段４２と、作成された希望商品リスト６の中から贈与者１０２によって商品１０３の注文がされた場合に管理サーバ２の注文報知手段３１から報知される注文報知データ４３をインターネット１００を介して受付ける報知受付手段４４と、本システム１の利用に応じて管理サーバ２から付与されるポイント１１１を利用して販売店１０５から商品１０３を購入するために、管理サーバ２に対して商品１０３の購入を要求するポイント購入手段４５とを具備して主に構成されている。なお、ポイント購入手段４５には、登録者端末４に対して付与されたポイント１１１の少なくとも一部を、他の登録者端末４若しくは贈与者端末５に対して分配し、商品１０３の代わりとして贈与するための贈与要求を管理サーバ２に対して実施するポイント贈与要求手段の機能を併せて有している。
【００４９】
さらに、登録者端末４は、登録者端末４の操作及び種々のデータの入力を行うためキーボード及びポインティングデバイスなどの登録側操作手段４６に接続し、検索手段４０及び商品情報入力手段４１等に対する制御を行う登録操作制御手段４７と、検索手段４０による商品基礎情報７の検索結果、或いは商品情報入力手段４１による入力結果を表示するモニタディスプレイなどの登録側表示手段４８に表示するための登録表示制御手段４９と、種々のデータの送受をインターネット１００を主に管理サーバ２に対して行うための登録側送信制御手段５０及び登録側受信制御手段５１に接続された登録側通信手段５２とを具備して構成されている。
【００５０】
一方、贈与者端末５は、図３に主に示すように、それぞれの登録者１０１に対して作成された希望商品リスト６の開示を管理サーバ２に対して要求する開示要求手段６０と、開示要求に対して管理サーバ２から入力が促される開示認証コード１５を入力し、管理サーバ２に対して送出する開示認証コード入力手段６１と、管理サーバ２によって開示認証コード１５の認証処理がなされ、閲覧が認められた登録者１０１に係る希望商品リスト６を閲覧する閲覧手段６２と、開示された希望商品リスト６の中から登録者１０１に対して贈与する商品１０３の選定が行われ、当該商品１０３を指定した注文を行う商品注文情報２２を、管理サーバ２に対して送出する注文情報送出手段６３と、前述した登録者端末４と同様に本システム１の利用に応じて管理サーバ２から付与されるポイント１１１を利用して販売店１０５から商品１０３を購入するために、管理サーバ２に対して商品１０３の購入を要求するポイント購入手段６４とを具備して主に構成されている。なお、ポイント購入手段６４は、前述した登録者端末４と同様に贈与者端末５に対して付与されたポイント１１１の少なくとも一部を、他の登録者端末４若しくは贈与者端末５に対して分配し、商品１０３の代わりとして贈与するための贈与要求を管理サーバ２に対して実施するポイント贈与要求手段の機能を併せて有している。
【００５１】
加えて、贈与者端末５は、贈与者端末５の操作及び種々のデータの入力を行うためキーボード及びポインティングデバイスなどの贈与側操作手段６５に接続し、種々の操作を行う贈与側操作制御手段６６と、閲覧手段６２によって希望商品リスト６をモニタディスプレイなどの贈与側表示手段６７に閲覧可能に表示するための贈与側表示制御手段６８と、種々のデータの送受を、インターネット１００を介して主に管理サーバ２に対して行うための贈与側送信制御手段６９及び贈与側受信制御手段７０に接続された贈与側通信手段７１とを具備して構成されている。
【００５２】
また、本実施形態の商品贈与システム１における販売店端末３は、管理サーバ２によって提供される商品基礎情報７を分散して記憶する分散商品基礎情報提供手段８０と、管理サーバ２から提供される未贈与商品情報２６を受付ける未贈与商品情報受付手段８１と、管理サーバ２から送出される供給指示を受付ける供給指示受付手段８２と、管理サーバ２からのポイント購入指示手段３０からの指示を受付け、商品１０３の販売を認めるポイント販売手段８３とを具備して主に構成されている。
【００５３】
また、管理サーバ２の商品基礎情報記憶手段９と略同一の構成を示し、自らの販売店１０５について取扱可能な商品１０３についての商品基礎情報７が記憶された商品基礎情報データベース８を有する商品情報分散記憶手段８４を有している。
【００５４】
加えて、販売店端末３は、モニタディスプレイなどの販売側表示手段８５に種々の情報を表示するための販売側表示制御手段８６と、種々のデータの送受を、インターネット１００を介して主に管理サーバ２に対して行うための販売側送信制御手段８７及び販売側受信制御手段８８に接続された販売側通信手段８９とを具備して構成されている。
【００５５】
次に、本実施形態の商品贈与システム１における商品１０３の贈与（プレゼント）の実例について、主に図４乃至図７のフローチャートに基づいて説明する。ここで、図４乃至図７におけるステップＳ１からステップＳ２４、ステップＴ１からステップＴ５、ステップＵ１からステップＵ６、及びステップＶ１からステップＶ６が本発明における商品贈与プログラムに相当する。
【００５６】
始めに、管理サーバ２は、商品基礎情報記憶手段９に記憶された商品基礎情報データベース８をインターネット１００上に公開し、該商品基礎情報データベース８に構築された複数の商品１０３についての商品基礎情報７を登録者端末４によって検索可能な状態で提供する（ステップＳ１）。一方、登録者端末４は、これに対し、管理サーバ２から提供された商品基礎情報データベース８を利用して、登録者１０１が入手を希望し、贈与者１０２からプレゼントされることを期待する商品１０３についての商品基礎情報７の検索をする（ステップＴ１）。ここで、登録者端末４から検索がなされ、管理サーバ２がそれを検出すると（ステップＳ２においてＹＥＳ）、検索に該当した商品基礎情報７をインターネット１００を通じて登録者端末４に提供する（ステップＳ３）。これにより、登録者端末４は、提供された商品基礎情報７を閲覧することができる（ステップＴ２）。一方、登録者端末４から検索がされない場合（ステップＳ２においてＮＯ）、ステップＳ３の処理はキャンセルされ、管理サーバ２は以降の処理を行う。
【００５７】
ここで、商品基礎情報データベース８及び商品基礎情報７は、管理サーバ２にかかる負担を軽減するために、前述したように、商品１０３の販売を取扱う販売店１０５に設置された販売店端末３に分散されて記憶されている。そのため、登録者端末４から管理サーバ２に対して検索が行われた場合、当該販売店端末３を経由して同様に商品基礎情報７が提供される（ステップＶ１乃至Ｖ３）。すなわち、商品基礎情報７の検索及び提供に係る処理を、管理サーバ２に集中させることなく、販売店端末３に分散させることができ、管理サーバ２にかかる処理の負担を軽減することができる。そのため、本システム１の運用を速やかに行うことが可能となる。このとき、販売店端末３からの商品基礎情報７の提供は、販売店端末３及び登録者端末４の間を直接インターネット１００を介して接続して行うものであっても、或いは一端管理サーバ２を経由して提供するものであっても構わない。
【００５８】
その後、閲覧した商品基礎情報７に基づいて、登録者１０１が希望する商品１０３の選定が行われると、登録者端末４は、その商品１０３についての商品情報１１の入力を受付ける（ステップＴ３）。なお、以前に登録者１０１によって検索が行われ、その結果をそのまま利用する場合、或いは商品１０３に対して入力される商品情報１１が既に判明している場合には、上述したステップＴ１及びステップＴ２の処理を行わず、商品情報１１を登録者端末４に直接入力するようにしたものであっても構わない。ここで、入力される商品情報１１の中には、商品名、製造会社、商品型番などの商品基礎情報７の商品データ１０６に対応する商品１０３に関する基本的な情報と、登録者１０１が贈与者１０２にどの販売店１０５から当該商品１０３を購入してもらいたいかを指定する販売店指定データ２７とを含んでいる。つまり、商品情報１１によって商品１０３が販売される販売店１０５を指定できる。その結果、登録者１０１は、例えば、自らが居住する地域若しくはその近隣地域で営業している販売店１０５を、販売店指定データ２７において指定することにより、商品１０３の入手後に発生するトラブルに対する対応、或いはメンテナンスを受けるなど地域性を考慮して、或いは以前から継続して利用したことがあり、品質保証などに信頼を寄せている馴染みの販売店１０５を選定することができる。さらに、例えば、生鮮食料品などを指定する場合には、漁港や産地などの地域で開業している販売店１０５を指定し、そこから産地直送で商品１０３を贈与してもらうことができる。
【００５９】
その後、入力された商品情報１１を、インターネット１００を介して登録者端末４から管理サーバ２に対して送出する（ステップＴ４）。一方、管理サーバ２は、登録者端末４から送出される商品情報１１の有無を検出し（ステップＳ４）、送出有りが検出される場合（ステップＳ４においてＹＥＳ）、その商品情報１１を受付ける（ステップＳ５）。また、商品情報１１の送出が検出されない場合（ステップＳ４においてＮＯ）、ステップＳ４を継続し、商品情報１１が送出されるまで処理を継続する。
【００６０】
それから、管理サーバ２は、受付けた複数の商品情報１１に基づいて、登録者１０１別の希望商品リスト６を作成する（ステップＳ６）。ここで、作成された希望商品リスト６にリストアップされた商品１０３は、登録者１０１が商品情報１１の入力時点で入手を希望しているものであり、友人等の贈与者１０２によって贈与されることを期待している商品１０３が列挙されている。また、希望商品リスト６を作成した登録者１０１に対しては、管理サーバ２から識別番号及びパスワードの組合わせからなる開示認証コード１５が付与されている。なお、パスワード等の付与に関する技術は、周知のものを利用することが可能であり、ここでは詳細な説明は省略するものとする。
【００６１】
そして、作成された希望商品リスト６がインターネット１００を通じて贈与者端末５に対して開示される。なお、この前の段階として、希望商品リスト６を管理サーバ２上に作成した登録者１０１は、その旨を商品１０３を贈与してくれる可能性の高い友人等の贈与者１０２に対して知らせておく必要がある。例えば、出産祝いや新築祝いなどの贈り物がプレゼントされることが期待される状況では、友人等に対し、本実施形態の商品贈与システム１の存在、及び管理サーバ２から付与され、希望商品リスト６を閲覧するために、該登録者１０１を指定し、認証を得るための開示認証コード１５を予め口頭などの伝達手段によって知らせておく。
【００６２】
ここで、希望商品リスト６の管理サーバ２による開示についてさらに詳細に説明すると、まず管理サーバ２は、贈与者端末５からの希望商品リスト６の開示要求の有無を検出する（ステップＳ７）。ここで、開示要求が有る場合（ステップＳ７においてＹＥＳ）、希望商品リスト６に対応して予め設定された開示期間情報１１０に基づいて、管理サーバ２は開示可能期間内であるか否かの判断を行う（ステップＳ８）。そして、開示可能期間内に有ると判断されると（ステップＳ８においてＹＥＳ）、贈与者端末５に対して登録者１０１に予め付与されている開示認証コード１５の入力を要求する（ステップＳ９）。一方、開示可能期間が既に経過していると判断され（ステップＳ８においてＮＯ）、希望商品リスト６の開示を拒否する場合、ステップＳ２３の処理に移行する。
【００６３】
そして、開示認証コード１５の入力を要求した管理サーバ２は、贈与者端末５から送出される開示認証コード１５の有無を検出する（ステップＳ１０）。ここで、開示認証コード１５が検出される場合（ステップＳ１０においてＹＥＳ）、この開示認証コード１５を受付け（ステップＳ１１）、認証を行う（ステップＳ１１）。このとき、受付けた開示認証コード１５が正当なものとして認証されると（ステップＳ１１においてＹＥＳ）、贈与者端末５に対してインターネット１００を通じて希望商品リスト６を限定的に開示する（ステップＳ１２）。一方、開示認証コード１５の入力がなされない場合（ステップＳ１０においてＮＯ）、若しくは開示認証コード１５が正当でないものとして認識された場合（ステップＳ１１においてＮＯ）、希望商品リスト６の開示が拒絶され（ステップＳ１３）、ステップＳ２３の処理に移行する。
【００６４】
ここで、贈与者端末５は、インターネット１００を介して管理サーバ２に希望商品リスト６の開示要求を送出する（ステップＵ１）。そして、開示要求に対して管理サーバ２から開示認証コード１５の入力が促されると、予め登録者１０１から口頭等の伝達手段によって伝えられた開示認証コード１５の入力を受付け（ステップＵ２）、これを管理サーバ２に対して送出する（ステップＵ３）。その後、開示認証コード１５によって認証された登録者１０１についての希望商品リスト６を、インターネット１００を通じて閲覧する（ステップＵ４）。
【００６５】
そして、贈与者端末５は、閲覧した希望商品リスト６の中から、贈与者１０２が予算に応じて登録者１０１に対して贈与することを決定した商品１０３についての商品注文情報２２の入力を受付け（ステップＵ５）、管理サーバ２に対して送出する（ステップＵ６）。
【００６６】
一方、管理サーバ２は、贈与者端末５から送出される商品注文情報２２の検出を行う（ステップＳ１４）。ここで、商品注文情報２２の送出が検出される場合（ステップＳ１４においてＹＥＳ）、係る商品注文情報２２を受付け、記憶手段２０に記憶する（ステップＳ１５）。その後、受付けた商品注文情報２２に応じて、その商品１０３の商品情報１１に含まれる販売店指定データ２７に基づいて、該商品１０３を取扱い販売する販売店１０５に設置された販売店端末３に、登録者１０１の配送先まで注文された商品１０３を配送する指示（供給指示）を行う（ステップＳ１６）。なお、商品注文情報２２の検出がなされない場合（ステップＳ１４においてＮＯ）、ステップＳ１４の処理を継続する。
【００６７】
このとき、販売店端末３は、上述の管理サーバ２から送出される供給指示を受付け（ステップＶ４）、登録者１０１に対して商品１０３を配送する手続を行う（ステップＶ６）。なお、商品１０３が家電製品等の物品である場合には、商品１０３を配送業者等に配送することを委託する手続が行われる。また、商品１０３が前述したサービス等に該当する場合には、登録者１０１に対してサービスを提供する施設若しくは人材等の手配する手続を行われる。
【００６８】
さらに、管理サーバ２は、希望商品リスト６の中で、商品１０３の注文を受付けたものについて、既に注文済みであることを示すマーク（図示しない）を付して希望商品リスト６の変更（更新）処理を行う（ステップＳ１７）。また、贈与者１０２から登録者１０１に対して商品１０３の贈与がなされたことを、登録者端末４に対して報知する注文報知データ４３を、インターネット１００を通じて送出する（ステップＳ１８）。なお、この際に贈与者１０２の顔の画像若しくは動画等のデータを、注文報知データ４３に添付するなど、注文の報知の仕方に趣向を凝らしたものであってもよい。これに対し、登録者端末４は、注文報知データ４３を受付ける（ステップＴ５）。その結果、登録者１０１は希望商品リスト６の中から贈与者１０２によって商品１０３が贈与されたことを認識することができる。
【００６９】
その後、管理サーバ２は、再び、希望商品リスト６の開示可能な期間を開示期間情報１１０に基づいて判定する（ステップＳ１９）。ここで、開示可能な期間を経過している場合（ステップＳ１９においてＹＥＳ）、希望商品リスト６の中から贈与されていない商品１０３についての未贈与商品情報２６を抽出する（ステップＳ２０）。一方、開示可能な期間を未だ経過していない場合、係る処理はキャンセルされる。
【００７０】
そして、抽出された未贈与商品情報２６に含まれる販売店指定データ２７に基づいて、未贈与の商品１０３の販売を取扱し、登録者１０１自身によって指定された販売店１０５に設置された当該未贈与商品情報２６が送出される（ステップＳ２１）。一方、送出された未贈与商品情報２６を販売店端末３を受付ける（ステップＶ６）。ここで、未贈与商品情報２６は、登録者１０１が欲しているにも係わらず、予算等の関係から、贈与者１０２によって贈与がなされなかったものである。すなわち、登録者１０１にとっては、予算などの条件が合致すれば、自ら購入しても構わないと思っているものが多い。そこで、係る未贈与商品情報２６を、登録者１０１が指定した販売店１０５に提供することにより、当該販売店１０５から通常の売価よりも割引率の高い条件で、登録者１０１に限定して提供するようなダイレクトメールなどの営業活動を行うことができる。これにより、登録者１０１は、通常よりも割安で希望する商品１０３を入手することができるようになる。一方、販売店１０５にとっても、商品１０３を真に欲している潜在的な顧客（登録者１０１に相当）を簡単に見つけることができるため、これらに対して積極的に営業を行うことによって、売上げを伸ばすことができる。
【００７１】
その後、管理サーバ２は、システム終了の指示を検出し（ステップＳ２２）、終了の指示が有る場合（ステップＳ２２においてＹＥＳ）、システムを終了する（ステップＳ２３）。一方、終了の指示がない場合（ステップＳ２２においてＮＯ）、ステップＳ１の処理に復帰し、本システム１を継続する。
【００７２】
以上述べたように、本システム１を利用して、登録者１０１及び贈与者１０２の間で、商品１０３の贈与が完了する。このとき、登録者１０１は予め自らが希望する複数の商品１０３から構成される希望商品リスト６を作成し、管理サーバ２に登録しておくことができる。このため、新築祝いなどで、家具や調度品、或いは新しい家電製品などを揃えたい場合に、これらの商品１０３をリストアップした希望商品リスト６を作成することにより、友人等によって希望に沿った商品１０３が送られることになる。さらに、作成された希望商品リスト６は、友人等の限定された対象が利用する贈与者端末５に対してのみ開示認証コード１５に基づいて開示することができる。これにより、登録者１０１が欲している商品１０３に関する情報が無制限に公開されることがなく、係る情報を悪意をもって利用しようとする業者、或いは登録者１０１に対して大量のダイレクトメールが送りつけられるようになる事態を回避することができる。加えて、一度注文が行われた商品１０３については、希望商品リスト６に注文済み等の表示がなされるため、同一商品１０３について重複して商品注文情報２２が送出されることがない。その結果、登録者１０１の元に同じ商品１０３が重複して届けられ、登録者１０１が係る商品１０３を持て余すようなことがない。
【００７３】
加えて、希望商品リスト６の開示期間を制限することにより、開示期間を経過して、贈与されなかった商品１０３についての未贈与商品情報２６を販売店１０５に提供し、営業活動などに有効的に利用することができる。すなわち、登録者１０１が何を欲しがっているかを販売店１０５は、認識することができるため、営業の展開の仕方によって成約率（購入率）を高めることができる。加えて、係る未贈与商品情報２６は、登録者１０１が自ら販売店指定データ２７として指定した販売店１０５にのみ提供されるものであり、販売店１０５の同業他社等にこれらの情報が漏れることがない。そのため、登録者１０１のプライバシーを保護することができる。
【００７４】
さらに、本実施形態の商品贈与システム１は、希望商品リスト６の作成及び商品注文情報の受付けの各処理及び注文された商品１０３の価格等に応じて、管理サーバ２は、登録者１０１及び贈与者１０２にとって特典となるポイント１１１を算出し、登録者１０１及び贈与者１０２に対してポイント１１１の付与及び集計をする。そして、集計されたポイント１１１の応じて、登録者１０１及び贈与者１０２は、販売店１０５で扱われている商品１０３を購入することができる。すなわち、ポイント１１１を電子マネーとして活用することができる。なお、ポイント１１１を電子マネーとして商品１０３と等価交換するシステムについては、従来から周知の技術を応用することが可能であるため、ここでは詳細な説明は省略する。これにより、登録者１０１及び贈与者１０２の双方にとって、本システム１を積極的に活用しようとするメリットがもたらされ、システムの活性化が図られる。その結果、多人数での活用が期待され、贈与される商品１０３を販売する販売店１０５にとっても売上の向上が見込まれるようになる。加えて、ポイント購入手段４５，６４に付与されたポイント贈与要求手段の機能により、それぞれに集計し、付与されたポイント１１１を互いに贈与しあうこともできる。
【００７５】
すなわち、ポイント１１１は前述したように電子マネーとして機能し、金銭的価値を有するものであるため、これらを贈与することよって贈与を受けた側は金銭的なメリットを得られる。そして、係るポイント１１１を利用して、前述した商品１０３等との透過交換が可能となる。なお、本システム１を運営する管理運営会社１０４は、販売店１０５の売上げに応じて所定の手数料を得ることにより、収益を上げることができる。また、贈与する商品１０３の決済をクレジットカードに限定することにより、クレジットカード会社の収益を向上させることも可能である。また、クレジットカード会社の利用に応じて提供される従来からのポイントシステム、航空会社などから提供されるマイレージシステムなどと連携させて、本システム１で付与されるポイント１１１を利用可能なものであってもよい。これにより、各々のシステムを利用する利便性及びメリットがさらに向上し、いずれの利用者にとって有利なシステムとなる。
【００７６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００７７】
すなわち、本実施形態の商品贈与システム１において、商品１０３として、家具や家電製品等の物品を対象として、贈与を行うものを示したが、これに限定されるものではなく、その他のサービス、或いは水産物などの食料品等を贈与するものであっても構わない。また、特にポイント１１１による購入等を行う場合には、それぞれの商品１０３を取扱う店舗に設置された端末から、自らの認証及びポイント１１１の集計数を確認の上、その場で本システム１を利用することも可能である。これにより、登録者１０１の自宅等に設置されている登録者端末４からのポイント１１１を利用した商品１０３の購入要求を行う必要がなく、また、購入要求から自宅等までに商品１０３が実際に配達されるまでの時間を要することがない。そのため、店頭で確認して気に入った商品１０３をその場で手に入れることができ、登録者１０１等はすぐに当該商品１０３を使用することができるようになる。
【図面の簡単な説明】
【００７８】
【図１】本実施形態の商品贈与システムの概略構成を模式的に示す説明図である。
【図２】商品贈与システムにおける管理サーバの機能的構成を示すブロック図である。
【図３】商品贈与システムにおける登録者端末、贈与者端末、及び販売店端末の機能的構成を示すブロック図である。
【図４】管理サーバ、販売店端末、登録者端末、及び贈与者端末におけるそれぞれの処理の流れを示すフローチャートである。
【図５】管理サーバ、販売店端末、登録者端末、及び贈与者端末におけるそれぞれの処理の流れを示すフローチャートである。
【図６】管理サーバ、販売店端末、登録者端末、及び贈与者端末におけるそれぞれの処理の流れを示すフローチャートである。
【図７】管理サーバ、販売店端末、登録者端末、及び贈与者端末におけるそれぞれの処理の流れを示すフローチャートである。
【符号の説明】
【００７９】
１  商品贈与システム
２  管理サーバ
３  販売店端末
４  登録者端末
５  贈与者端末
６  希望商品リスト
７  商品基礎情報
８  商品基礎情報データベース
９  商品基礎情報記憶手段
１０  商品基礎情報提供手段
１１  商品情報
１２  商品情報受付手段
１３  リスト作成手段
１４  リスト記憶手段
１５  開示認証コード
１６  開示認証コード付与手段
１７  開示認証コード記憶手段
１８  開示認証コード入力要求手段
１９  認証開示手段
２２  商品注文情報
２３  注文情報受付手段
２４  供給指示手段
２５  開示期間制限手段
２６  未贈与商品情報
２７  販売店指定データ
２８  未贈与商品情報提供手段
２９  ポイント付与集計手段
３０  ポイント購入指示手段（ポイント贈与手段）
３１  注文報知手段
３２  リスト変更手段
４０  検索手段
４１  商品情報入力手段
４２  商品情報送出手段
４３  注文報知データ
４４  報知受付手段
４５，４６  ポイント購入手段（ポイント贈与要求手段）
６０  開示要求手段
６１  開示認証コード入力手段
６２  閲覧手段
６３  注文情報送出手段
８０  分散商品基礎情報提供手段
８１  未贈与商品情報受付手段
８２  供給指示受付手段
８３  ポイント販売手段
８４  商品情報分散記憶手段
１００  インターネット（通信ネットワーク）
１０１  登録者
１０２  贈与者
１０３  商品
１０８  商品リストデータベース
１１１  ポイント
【図１】
2005276043.tif 000003
【図２】
2005276043.tif 000004
【図３】
2005276043.tif 000005
【図４】
2005276043.tif 000006
【図５】
2005276043.tif 000007
【図６】
2005276043.tif 000008
【図７】
2005276043.tif 000009